(57)【特許請求の範囲】
【請求項１】
無線端末と、
該無線端末と通信する無線基地局と、
前記無線端末の認証に用いる情報、該無線端末の送受信先装置の情報、及び前記無線端末が単位時間あたりに通信可能なパケット数の上限の情報を含む無線端末のプロファイル情報を、無線端末毎に記憶するデータベースと、
無線基地局と接続されており、前記無線端末の位置制御、及び該無線端末からの呼に対し、前記認証が正しく行われた場合に、単位時間内のパケットの通信量の確認を１パケット毎に行う通信受付を前記プロファイル情報に基づいて行い、該無線端末を送受信先とするパケットの通信路を決定する制御サーバと、
当該システム外部の装置から前記無線端末に対する呼の前記通信受付を前記プロファイル情報に基づいて行うとともに、当該システム外部の装置への接続を制御するゲートウェイサーバと
から構成される無線通信システムであり、
前記無線端末が、前記外部の装置であるサーバに対してデータを送信する際、送信する１パケット毎に、前記制御サーバに対して前記通信受付を要求し、
前記外部の装置であるサーバが、前記無線端末に対してデータを送信する際、送信する１パケット毎に、前記ゲートウェイサーバに対し、前記通信受付を要求し、
前記制御サーバが、前記無線端末からの位置登録の要求を入力すると、当該無線端末のプロファイル情報を前記データベースから読み込み、一時的な情報として該プロファイル情報を内部に記憶し、
前記制御サーバが、前記無線端末に対する位置登録を完了すると、前記ゲートウェイサーバに対し、当該無線端末の位置情報及び前記プロファイル情報を送信し、
前記ゲートウェイサーバが、前記無線端末の位置情報及びプロファイル情報を前記制御サーバから受信すると、当該無線端末の位置情報及びプロファイル情報を一時的な情報として記憶する
ことを特徴とする無線通信システム。
【請求項２】
前記無線基地局が、前記無線端末からの無線チャンネルの割り当てを要求するランダムアクセスメッセージを、通信受付の要求に変換して前記制御サーバに送信し、前記制御サーバからの通信受付の応答を無線チャンネルの割り当て応答に変換して前記無線端末に送信することを特徴とする請求項１に記載の無線通信システム。
【請求項３】
無線端末と、
該無線端末と通信する無線基地局と、
前記無線端末の認証に用いる情報、該無線端末の送受信先装置の情報、及び前記無線端末が単位時間あたりに通信可能なパケット数の上限の情報を含む無線端末のプロファイル情報を、無線端末毎に記憶するデータベースと、
無線基地局と接続されており、前記無線端末の位置制御、及び該無線端末からの呼に対し、前記認証が正しく行われた場合に、単位時間内のパケットの通信量の確認を１パケット毎に行う通信受付を前記プロファイル情報に基づいて行い、該無線端末を送受信先とするパケットの通信路を決定する制御サーバと、
当該システム外部の装置から前記無線端末に対する呼の前記通信受付を前記プロファイル情報に基づいて行うとともに、当該システム外部の装置への接続を制御するゲートウェイサーバと
から構成される無線通信システムにおける無線通信方法であり、
前記無線端末が、前記外部の装置であるサーバに対してデータを送信する際、送信する１パケット毎に、前記制御サーバに対して前記通信受付を要求する過程と、
前記外部の装置であるサーバが、前記無線端末に対してデータを送信する際、送信する１パケット毎に、前記ゲートウェイサーバに対し、前記通信受付を要求する過程と、
前記制御サーバが、前記無線端末からの位置登録の要求を入力すると、当該無線端末の  プロファイル情報を前記データベースから読み込み、一時的な情報として該プロファイル情報を内部に記憶する過程と、
前記制御サーバが、前記無線端末に対する位置登録を完了すると、前記ゲートウェイサーバに対し、当該無線端末の位置情報及び前記プロファイル情報を送信する過程と、
前記ゲートウェイサーバが、前記無線端末の位置情報及びプロファイル情報を前記制御サーバから受信すると、当該無線端末の位置情報及びプロファイル情報を一時的な情報として記憶する過程と
を有することを特徴とする無線通信方法。
【発明の詳細な説明】
【技術分野】
【０００１】
本発明は、物対物の通信を効率的に行う技術に係わり、具体的には広域ｍ２ｍ（machine-to-machine）ネットワークにおける無線通信システムおよび無線通信方法に関する。
【背景技術】
【０００２】
通信手段を人対人についてだけでなく、物対物についても適用する試みがある。これをmachine-to-machine、略して、ｍ２ｍ通信とよび、そのネットワークをｍ２ｍネットワークと呼ぶ。
ｍ２ｍ通信の具体例としては、（１）自動販売機が、自分の内蔵する商品の在庫状況を自動的に在庫管理装置にレポートする、（２）トラックの運行状態（場所、速度など）を運送会社の運行管理システムに自動的にレポートする、などがある。
【０００３】
ｍ２ｍ通信で主に使用されるネットワークとしては、携帯電話やＰＨＳ（登録商標）がある。対象物(例えば、自動販売機)に、携帯電話送受信装置やＰＨＳ（登録商標）送受信装置をつけ、同送受信装置が通信相手先に電話して通信を行う。（携帯電話では、回線交換モードでなく、パケット交換モードの場合もある。）
ｍ２ｍ通信で主に使用される既存のネットワークとして、ＰＤＣ(第2世代携帯電話)のネットワーク(回線交換モード)の基本構成を図３６に示す（例えば、非特許文献１参照）。
【０００４】
同ネットワークは、移動関門中継階梯と移動加入者階梯の２つの階梯で構成され、位置登録データベースとしてホームロケーションレジスタ(HLR : Home Location Register))が設けられている。基本構成要素として、他ネットワークとの相互接続機能、着信時の自動追跡接続機能および中継機能を有する関門中継系移動通信制御局(MGC : Mobile Gateway Center)、在圈管理および加入者接続機能を有する加入者系移動通信制御局(MCC : Mobile Control Center)、移動端末番号や在圏エリア等の加入者情報が登録されているHLR、基地局(BS : Base Station)および移動端末(移動機)(MS : Mobile Station)で構成されている。ここで、基地局制御の機能(無線チャンネルの移動端末への割り当てや切り替え制御の実行等)は、MCCに内蔵されている。
【０００５】
以下に移動体通信ネットワークの基本動作である（１）位置登録、（２）発信処理、（３）着信処理の手順の概要について述べる。
（１）位置登録
セル方式による移動体通信システムでは、移動端末そのものが空間的に移動するため、その存在場所をネットワーク側で常に把握しておく必要がある。このために必須なものが位置登録である。
【０００６】
移動端末の位置は、ページングエリア(PA : Paging Area)単位で端末ごとにHLRにPAが保持されている。ページングというのは無線呼出しという意味で、移動端末への着信があったとき、エリア内に一斉に呼び出すことからページングエリアと呼ばれる。位置登録の基本処理は以下である。
【０００７】
(i)移動体通信ネットワークでは、すべての移動端末が受信できる報知チャネルで、基地局からその場所のPAの番号を送信する。移動端末はPA番号を受信し内部に記憶する。
(ii)移動して移動端末が受信するPA番号の変化を検出すると、位置登録を行う。移動端末は位置登録要求をHLRに送信し、HLRは位置情報を書き換える。
(iii)位置登録が完了すると、HLRから移動端末に位置登録完了信号を送信する。
【０００８】
（２）発信処理
移動端末から発信する場合の基本的な接続手順の概要を以下に示す。
(i)発信端末からBSに対して呼設定の信号を転送するための信号チャネルの設定を要求し、BSでは信号チャネルを設定する。
(ii)発信端末から着信先の電話番号をダイヤルし、電話番号を含む呼設定要求をBS経由でMCCに送信する。MCC はHLRに格納されている加入者情報をもとに端末の認証を行う。
【０００９】
(iii)MCCはBSに通話用の音声チャネルを発信端末に割り当てるよう指示を出す。
(iv)MCCはMGCに呼設定の要求を出す。MGCは着信先が固定ネットワークあるいは他の事業者の移動端末であれば、呼をそちらヘルーティングする。一方、着信先が自分のネットワークの加入者の移動端末であれば、HLRにその位置情報を問い合わせる。
(V)接続先が移動端末の場合は、その位置情報を基に呼設定信号がルーティングされ、着信端末の所属するページングエリアのBSから一斉呼び出しが行われる。接続対象である着信先が応答すると、コネクションが設定され通話が可能となる。
【００１０】
（３）着信処理
移動端末が着信するときの接続手順の概要を示す。
(i)固定ネットワークあるいは他のセルラーネットワークからの着信要求(呼設定要求)は、着信先の電話番号を含めて、まずMGCに届けられる。
(ii)MGCは呼を着信端末の所属するMCCヘルーティングする。このため、HLRは保持されている端末位置情報から、どのMCCのカバー範囲に着信先の移動端末が位置するかを調べる。 MCCはHLRからの情報を基に該当するページングエリアのBSを介して一斉呼出しを行う。
【００１１】
(iii)呼出し信号を受信した移動端末は、BSに対して呼設定の信号を転送するための信号チャネル設定を要求し、BSでは信号チャネルを設定する。
(iv)MCCはHLRに格納されている加入者情報をもとに着信端末の認証を行い、呼設定要求信号を着信端末に送付するとともにBSに通話用の音声チャネルを端末に付与するよう指示を出す。
(V)着信端末が呼出し音を鳴らし、着信先が応答すると、コネクションが設定され通話が可能となる。
【００１２】
ワイヤレスパケットシステムとして代表的なPDC-P(Packet)のネットワーク構成を図３７に示す。パケット関門中継処理装置(PＧＷ : Packet Gateway Module)は、インターネットや企業内ネットワークなど他ネットワークと相互接続するための装置であり、他ネットワークからのユーザパケット着信時に、移動通信サービス制御装置(M-SCP :Mobile-Service Control Point)の位置情報ヘアクセスし、移動端末の存在するエリアを管理しているパケット加入者系処理装置(PPM : Packet Processing Module)ヘルーティングする機能を持つ。
【００１３】
PPMは基地局を介して移動端末と対向し、ユーザパケットを送受信し、ワイヤレス区間のパケットヘの組立・分解、認証、秘匿、課金などの機能を具備する。
また、ｉモード通信を可能とするために、移動端末およびサーバとの通信プロトコルをそれぞれ終端し、それらを相互に接続するための機能を持つ移動メッセージ用パケット関門装置(M-PGW : Mobile Message- PGW)が配置されている。
一方、ｉモードサーバはPDC-Pネットワークとインターネットを結ぶ関門機能を担っている。具体的には、情報配信やメールの送受信機能および蓄積機能および情報提供者管理機能、さらに情報料課金機能を具備している。
【００１４】
ユーザＩＰパケットのＩＰアドレスはゲートウェイ機能を持つPGWで移動端末の電話番号と対応付けられ、M-SCPヘアクセスして移動端末の位置情報等を取得し、それを用いて接続処理が行われる。移動により移動端末の位置が変われば、その経路にトンネリングを張りなおすことにより移動制御される構成である。
移動体電話によるｍ２ｍ通信が広域、屋外を主対象とするのに対して、近距離無線で低機能な端末によるｍ２ｍ通信の例として、Auto-ＩＤにより提唱されている無線タグ（ＲＦＩＤ）ネットワークの構成例を図３８に示す。
【００１５】
Auto-ＩＤセンタ構想では、ＲＦＩＤの機能を限定して、タグの著しい低コスト化を図り（目標は一個５セント）、あらゆる商品にＲＦＩＤを付与することを狙っている。ＲＦＩＤ 自体は読み取り専用として、個体の識別を可能にするシリアル番号をも含んだ96bitのＩＤ (Electronic Product Code : eＰＣ)だけを格納する。例えば、商品納入先に設置されたＲＦＩＤリーダを通じて、各個体に貼られたＲＦＩＤからＩＤ（eＰＣ）を読み取り、そのＩＤを持つ各個体に関するデータを格納したデータベースのアドレス解決を共通的に行うリゾルブ機能（共通リゾルバ）により、アプリケーションプログラムは目的とするデータベースを特定する。
そして、ＲＦＩＤリーダにより読み取ったＩＤを付与された各商品の各個体についてのデータをそのデータベースから得たり、あるいはそのデータベースに読み取ったＩＤを持つ個体についての新たなデータの書き込み（例えば、納入日、納入場所）を行うことができるようになる。
【００１６】
上述した無線基地局（基地局）と無線端末（移動端末）との間において、無線端末が無線基地局に対して呼を行う際、無線基地局が無線端末の呼の通信受付後に無線の通信品質が所要の通信品質を満たすか否かを判断して、呼の通信受付後に所要の通信品質を満たせない無線端末の場合、すなわち無線区間の品質によって、無線端末からの呼の通信受付を拒否することにより、接続後の強制切断などで通信品質の劣化を抑制している（例えば、特許文献１参照）。ここで、通信受付とは認証に必要な情報（例えば、上記ＩＤ及びパスワードなど）が正しい場合、呼を受け付けるか否かの受付制御を示している。
【非特許文献１】三宅功、斎藤洋著「ユビキタスサービスネットワーク技術」社団法人  電気通信協会  平成１５年９月１日初版、ｐ７６〜８０
【特許文献１】特許公報第２９２１７３９号
【発明の開示】
【発明が解決しようとする課題】
【００１７】
しかしながら、上記特許文献１の無線端末にあっては、認証に必要な情報が正しいことが確認されると、所要の通信品質を満たしていると無条件にて通信受付を行うため、呼を受け付けた順番で通信受付を行うこととなり、複数の無線端末間にて通信する機会の公平性を、各無線端末からの１パケットごとに、無線基地局あるいは通信の制御を行う制御サーバが制御することが困難である。
また、上記特許文献１の無線端末にあっては、各無線端末が単位時間ごとに通信可能なパケット数をあらかじめ設定し、各無線端末による単位時間あたりのトラフィックの平滑化を、無線基地局あるいは通信の制御を行う制御サーバが制御することが困難である。
【００１８】
本発明は、このような事情に鑑みてなされたもので、各無線端末からの通信を１パケットごとに制御することができ、かつ各無線端末の単位時間ごとの通信可能なパケット数をあらかじめ設定し、各無線端末による単位時間あたりのトラフィックの平滑化が容易に行える無線通信システムおよび無線通信方法を提供することを目的とする。
【課題を解決するための手段】
【００１９】
本発明の無線通信システムは、無線端末と、該無線端末と通信する無線基地局と、前記無線端末の認証に用いる情報、該無線端末の送受信先装置の情報、及び前記無線端末が単位時間あたりに通信可能なパケット数の上限の情報を含む無線端末のプロファイル情報を、無線端末毎に記憶するデータベースと、無線基地局と接続されており、前記無線端末の位置制御、及び該無線端末からの呼に対し、前記認証が正しく行われた場合に、単位時間内のパケットの通信量の確認を１パケット毎に行う通信受付を前記プロファイル情報に基づいて行い、該無線端末を送受信先とするパケットの通信路を決定する制御サーバと、当該システム外部の装置から前記無線端末に対する呼の前記通信受付を前記プロファイル情報に基づいて行うとともに、当該システム外部の装置への接続を制御するゲートウェイサーバとから構成される無線通信システムであり、前記無線端末が、前記外部の装置であるサーバに対してデータを送信する際、送信する１パケット毎に、前記制御サーバに対して前記通信受付を要求し、前記外部の装置であるサーバが、前記無線端末に対してデータを送信する際、送信する１パケット毎に、前記ゲートウェイサーバに対し、前記通信受付を要求し、前記制御サーバが、前記無線端末からの位置登録の要求を入力すると、当該無線端末のプロファイル情報を前記データベースから読み込み、一時的な情報として該プロファイル情報を内部に記憶し、前記制御サーバが、前記無線端末に対する位置登録を完了すると、前記ゲートウェイサーバに対し、当該無線端末の位置情報及び前記プロファイル情報を送信し、前記ゲートウェイサーバが、前記無線端末の位置情報及びプロファイル情報を前記制御サーバから受信すると、当該無線端末の位置情報及びプロファイル情報を一時的な情報として記憶することを特徴とする。
【００２１】
本発明の無線通信システムは、前記無線基地局が、前記無線端末からの無線チャンネルの割り当てを要求するランダムアクセスメッセージを、通信受付の要求に変換して前記制御サーバに送信し、前記制御サーバからの通信受付の応答を無線チャンネルの割り当て応答に変換して前記無線端末に送信することを特徴とする。
【００２３】
本発明の無線通信方法は、無線端末と、該無線端末と通信する無線基地局と、前記無線端末の認証に用いる情報、該無線端末の送受信先装置の情報、及び前記無線端末が単位時間あたりに通信可能なパケット数の上限の情報を含む無線端末のプロファイル情報を、無線端末毎に記憶するデータベースと、無線基地局と接続されており、前記無線端末の位置制御、及び該無線端末からの呼に対し、前記認証が正しく行われた場合に、単位時間内のパケットの通信量の確認を１パケット毎に行う通信受付を前記プロファイル情報に基づいて行い、該無線端末を送受信先とするパケットの通信路を決定する制御サーバと、当該システム外部の装置から前記無線端末に対する呼の前記通信受付を前記プロファイル情報に基づいて行うとともに、当該システム外部の装置への接続を制御するゲートウェイサーバとから構成される無線通信システムにおける無線通信方法であり、前記無線端末が、前記外部の装置であるサーバに対してデータを送信する際、送信する１パケット毎に、前記制御サーバに対して前記通信受付を要求する過程と、前記外部の装置であるサーバが、前記無線端末に対してデータを送信する際、送信する１パケット毎に、前記ゲートウェイサーバに対し、前記通信受付を要求する過程と、前記制御サーバが、前記無線端末からの位置登録の要求を入力すると、当該無線端末の  プロファイル情報を前記データベースから読み込み、一時的な情報として該プロファイル情報を内部に記憶する過程と、前記制御サーバが、前記無線端末に対する位置登録を完了すると、前記ゲートウェイサーバに対し、当該無線端末の位置情報及び前記プロファイル情報を送信する過程と、前記ゲートウェイサーバが、前記無線端末の位置情報及びプロファイル情報を前記制御サーバから受信すると、当該無線端末の位置情報及びプロファイル情報を一時的な情報として記憶する過程とを有することを特徴とする。
【発明の効果】
【００２４】
以上説明したように、本発明によれば、各無線端末からの制御サーバに対する通信受付を１パケット毎に行うため、各無線端末からの通信を１パケットごとに制御することができ、かつこの処理により各無線端末からのパケット数を容易に検出することが可能となり、各無線端末の単位時間ごとの通信可能なパケット数をあらかじめ設定し、各無線端末による単位時間あたりのトラフィックの平滑化が容易に行うことができる。
【発明を実施するための最良の形態】
【００２５】
以下、本発明の一実施形態による無線通信システムを図面を参照して説明する。図１は同実施形態による無線通信システムの構成例を示すブロック図である。
図１において、本実施形態の無線通信システムは、無線端末１、センサ・アクチュエータ２、無線基地局３、制御サーバ４、ゲートウェイサーバ５、データベース６を有している。本実施形態による無線通信システムは、当該システム外部の装置であるサーバ７から無線端末１に対する呼の通信受付を行うとともに、上記サーバ７への接続を制御する、後述するゲートウェイサーバ５を有している。
【００２６】
センサ・アクチュエータ２は、周囲環境などを検知するセンサ、あるいはサーバ７からの制御指示により動作するアクチュエータなど、あるいは双方の機能を併せ持つ制御機器などである。本実施形態においては、センサ・アクチュエータ１とし、両方の機能に対応するように記載しているが、センサあるいはアクチュエータのいずれかの機能のみで動作するようにしても良い。
【００２７】
無線端末１は、上記センサ・アクチュエータ２が接続されており、無線を介して無線基地局３とデータの送受信を行う通信を行う。また、上記無線端末１は、携帯端末でありユーザが持ち運んで移動して用い、移動する毎に電波状態が良い、すなわち通信状態の良い異なる無線基地局３と接続することができる。また、無線端末１は、接続していたある無線基地局３から、移動により異なる無線基地局３へ接続する際、新たに接続する無線基地局３に対して位置登録メッセージを送信する。すなわち、無線端末１は、サーバ７に対してデータを送信する際、１パケット毎に上記制御サーバ４に対して通信受付を要求する。
無線基地局３は、無線及び有線による送受信機能を有しており、上記無線端末１からの無線チャンネルの割り当てを要求するランダムアクセスメッセージを、通信受付の要求に変換し、後述する制御サーバ４に送信し、この制御サーバ４からの通信受付の応答を無線チャンネルの割り当て応答に変換した後、上記無線端末１に送信する
【００２８】
制御サーバ４は、無線端末１の認証、及び無線端末１がサーバ７に対して通信を要求する際の通信受付を行う。ここで、通信受付とは、認証に必要な情報（たとえば、ＩＤ及びパスワード）などが正しい場合にサービスを受け付けるか否かの受付制御の処理をいう。また、制御サーバ４は、無線端末１から送信されたデータを、いずれのゲートウェイサーバ５宛へ送信するかの制御、及びサーバ７から送信されたデータを、いずれの無線基地局３宛へ送信するかの制御を行う。
【００２９】
ゲートウェイサーバ５は、サーバ７が無線端末１に対して通信を要求する際、サーバ７からの通信受付を行う。すなわち、外部の装置であるサーバ７は、無線端末１に対してデータを送信する際、送信する１パケット毎に、ゲートウェイサーバ５に対し、通信受付を要求する。
また、ゲートウェイサーバ５は、無線端末１から送信されたデータをいずれのサーバ７に対して送信するか、また、サーバ７から送信されたデータをいずれの無線基地局３に対して送信するかの制御を行う。
【００３０】
データベース６は、無線端末１の認証及び通信受付に必要な無線端末１のプロファイル情報を、各無線端末１の端末識別情報に対応して記憶している。ここで、無線端末の認証に必要な情報とは、例えば無線端末１の認証に用いる認証用の鍵情報やＩＤ及びパスワードなどである。また、通信受付に必要な情報とは、例えば、当該無線端末１が単位時間あたりに通信可能なパケット数の上限が設定されている契約を行っている場合、単位時間の開始タイミング、及び設定されているパケット数の上限値などである。ここで、開始タイミングとは、例えば、１時間あたりに１パケットという契約を結んでいる場合、何時何分からパケットのカウントを開始するかなどの情報である。仮に毎時３０分にとしている場合、例えば、契約している無線端末１から１２時３０〜１３時３０までの１時間の間に１パケットを送信することが許容されており、また１３時３０分〜１４時３０分までの１時間の間にまた１パケット送信することができる。
【００３１】
サーバ７は、本実施形態における無線通信システムの外部装置であり、制御サーバ４とゲートウェイサーバ５を介して接続されており、センサ・アクチュエータ２におけるセンサが取得したデータを受信したり、あるいはセンサ・アクチュエータ２を動作させるためのコマンドや制御信号を送信したりする。
【００３２】
また、本実施形態におけるパケットの構成例を図２（ａ）に示す。図２（ａ）に示しているように、本実施形態のパケットは無線端末１のアドレス（端末識別情報として）と、無線端末１が送受信するデータとから構成されている。すなわち、本実施形態においては、送受信するデータ以外に無線端末１のアドレスのみを宛先、あるいは送信元のアドレスとして送信する。一方、従来例におけるパケットの構成を、図２（ｂ）に示す。
ここで、本実施形態においては、センサ・アクチュエータ２が発呼するパケットの送信先のアドレス（例えば、サーバ７のアドレス）を、網装置（制御サーバ４、ゲートウェイサーバ５、データベース６）により後述するように決定される。
【００３３】
＜無線端末１の位置登録＞
以下、本発明の一実施形態による無線通信システムにおける無線端末１の位置登録の処理を図面を参照して説明する。図３は同実施形態による無線通信システムにおける無線端末の位置登録の動作例を示すシーケンス図である。
無線端末１は、電源が投入されて起動し、新規に無線基地局３に接続される際、あるいは移動により、移動前に接続していた無線基地局３から、異なる他の無線基地局３に接続する際、この新たに接続する他の無線基地局３に対して位置登録の処理を行う。
【００３４】
無線端末１は、上記無線基地局３に対し、当該無線基地局３と接続するための位置登録要求（自身の端末識別情報を含む）を送信する（ステップＳ１）。
そして、無線基地局３は、制御サーバ４に対して、位置登録を要求した無線端末１の位置登録を要求する（ステップＳ２）。
これにより、制御サーバ４は、データベース６に対し、位置登録を要求してきた無線端末の端末識別情報に対応したユーザプロファイル情報の要求を行う（ステップＳ３）。
データベース６は、内部の制御部が入力される端末識別情報に対応したユーザプロファイル情報をデータベース部から検索し、上記端末識別情報に対応するユーザプロファイル情報が検索されると、このユーザプロファイル情報を読み出し、この読み出したユーザプロファイル情報を制御サーバ１に対して送信する（ステップＳ４）。
【００３５】
ユーザプロファイル情報が入力されると、制御サーバ４は、自身が受信した位置登録要求と、ユーザプロファイル情報とから、無線端末１の認証に用いる情報（鍵情報、あるいはＩＤパスワード）を取得し、位置登録を要求した無線端末１の認証処理を行い、認証処理が行われて無線端末１が認証された場合（鍵情報などが対応した場合）、内部に有するキャッシュに対し、上記ユーザプロファイル情報を書き込んで記憶（登録）する（ステップＳ５）。
そして、制御サーバ４は、位置登録が成功したことを示す位置登録応答を、位置登録を要求した無線基地局３に対して送信する（ステップＳ６）。一方、制御サーバ４は、認証処理が行われて無線端末１が認証されない場合（鍵情報などが対応していない場合）、位置登録が失敗したことを示す位置登録応答を、位置登録を要求した無線基地局３に対して送信する。
【００３６】
位置登録応答が入力されると、無線基地局３は、位置登録が成功したことを示す位置登録応答である場合、自身が有するキャッシュに対して、当該無線端末１のユーザプロファイル情報を書き込んで記憶（登録）し、位置登録要求を行った無線端末１に対し、位置登録が成功したことを示す位置登録応答を送信する（ステップＳ７）。一方、無線基地局３は、位置登録が失敗したことを示す位置登録応答である場合、位置登録が失敗したことを示す位置登録応答を送信した後、このユーザプロファイル情報を破棄する。
【００３７】
上記位置登録応答を受信すると、無線端末１は、無線基地局３に対し、位置登録が完了したことを示す位置登録完了を送信する（ステップＳ８）。
そして、位置登録完了を受信すると、無線基地局３は、無線端末１が送信してきた位置登録完了を、制御サーバ４へ送信する（ステップＳ９）。
次に、位置登録完了を受信すると、制御サーバ４は、自身の宛先情報、当該端末識別情報を、当該無線端末１のユーザプロファイル情報の中から通信受付に関する情報を、ユーザ在圏位置情報登録（無線端末１がいずれの無線基地局３の通信範囲に存在しているかの情報を登録）要求として、ゲートウェイサーバ５へ送信する（ステップＳ１０）。
【００３８】
上記ユーザ在圏位置情報登録要求を受信すると、ゲートウェイサーバ５は、ユーザ在圏位置情報登録要求に含まれる制御サーバ４の宛先情報、無線端末１の端末識別情報、当該無線端末１の通信受付に関するユーザプロファイル情報を、自身のキャッシュに登録する（ステップＳ１１）。
そして、ゲートウェイサーバ５は、ユーザ在圏位置情報登録応答を制御サーバ４に対して送信する（ステップＳ１２）。
【００３９】
＜無線端末１へのサーバ７発呼＞
次に、本発明の一実施形態による無線通信システムにおける無線端末１へのサーバ７の発呼の処理を図面を参照して説明する。図４及び図５は同実施形態による無線通信システムにおける無線端末１のサーバ７発呼の動作例を示すシーケンス図である。
本実施形態の無線通信システムにおいて、ゲートウェイサーバ５は、サーバ７からセンサ・アクチュエータ２に対してデータを送信する前に、当該データをセンサ・アクチュエータに送信して良いか否かを、１パケット毎に行う通信受付において判定する。
【００４０】
上記図４は、サーバ７からデータ送信を直ちにゲートウェイサーバ５に送信し、ゲートウェイサーバ５が当該データ送信に対して通信受付の応答を行う場合である。
図４において、サーバ７は、ゲートウェイサーバ７に対し、無線端末１へ送信するデータのデータ送信を行う（ステップＳ２０）。
上記データ送信を受信すると、ゲートウェイサーバ５は、データに含まれている無線端末１の端末識別情報により、ユーザプロファイルを自身のキャッシュより読み出し、すでに説明した通信受付を行い、通信受付が完了するとサーバ７に対して通信受付応答を送信する（ステップＳ２１）とともに、制御サーバ４に対して上記データのデータ送信を行う（ステップＳ２２）。
【００４１】
データ送信を受信すると、制御サーバ４は、無線基地局３に対し、無線端末１の呼出要求を行う（ステップＳ２３）。
呼出要求を受信すると、無線基地局３は、内部のキャッシュに端末識別情報に対応して記憶されているユーザプロファイル情報のなかの無線端末１のアドレスを読み出し、読み出したアドレスに対応する無線端末１に対して呼出要求を行う（ステップＳ２４）。
呼出要求を受信すると、無線端末１は、呼出要求に対する応答として呼出応答を、無線基地局３に対して送信する（ステップＳ２５）。
応答信号を受信すると、無線基地局７は、制御サーバ４に対し、無線端末１からの呼出応答信号を送信する（ステップＳ２６）。
【００４２】
呼出応答信号が入力されると、制御サーバ４は、無線端末１と接続されたことを検出し、サーバ７から送信されたデータのデータ送信を、無線基地局３に対して行う（ステップＳ２７）。
そして、無線基地局３は、制御サーバ４から入力されるサーバ７からのデータを、無線端末１に対して送信する（ステップＳ２８）。
次に、無線端末１は、無線基地局３から入力されるサーバ７からのデータを、センサ・アクチュエータ２に対してデータ送信する（ステップＳ２９）。
【００４３】
上記データ送信を受信すると、センサ・アクチュエータ２は、データを正常に受信したことを示すＡＣＫ（Acknowledgment）信号を、無線端末１に対して出力する（ステップＳ３０）。
上記ＡＣＫ信号を受信すると、無線端末１は、上記ＡＣＫ信号を、無線基地局３に対して出力する（ステップＳ３１）。
【００４４】
そして、無線基地局３は、無線端末１から受信したＡＣＫ信号を、制御サーバ４に対して送信する（ステップＳ３２）。
また、制御サーバ４は、ゲートウェイサーバ５に対し、受信したＡＣＫ信号を送信する（ステップＳ３３）。
上記ＡＣＫ信号を入信すると、ゲートウェイーバ５は、受信したＡＣＫ信号をサーバ７に対して送信する（ステップＳ３４）。
【００４５】
上記図５は、サーバ７から通信受付要求をゲートウェイサーバ５に対して送信し、ゲートウェイサーバ５が通信受付応答を受信し、この送信受付が成功した場合にのみ、サーバ７からデータ送信を行う場合である。
図５において、サーバ７は、ゲートウェイサーバ５に対し、無線端末１へデータ送信するための通信受付要求を送信する（ステップＳ４０）。
通信受付要求を受信すると、ゲートウェイサーバ５は、サーバ７の送信対象である無線端末１へのデータ送信に対する通信受付を行い、通信受付の成功及び失敗のいずれかの結果を含む通信受付応答をサーバ７に対して送信する（ステップＳ４１）。
【００４６】
そして、サーバ７は、通信受付応答を受信すると、通信受付が成功した場合、ゲートウェイサーバ５に対してデータ送信を行い（ステップＳ４２）、一方、通信受付が失敗した場合、あらかじめ設定した再送時間の間待機し、再送時間が経過するとステップＳ４０から、再度、データ転送のための発呼処理を行う。
上記データ送信を受信すると、ゲートウェイサーバ５は、制御サーバ４に対してデータ送信を行う（ステップＳ４３）。
【００４７】
データ送信を受信すると、制御サーバ４は、無線基地局３に対し、無線端末１の呼出要求を行う（ステップＳ４４）。
呼出要求を受信すると、無線基地局３は、内部のキャッシュに端末識別情報に対応して記憶されているユーザプロファイル情報のなかの無線端末１のアドレスを読み出し、読み出したアドレスに対応する無線端末１に対して呼出要求を行う（ステップＳ４５）。
呼出要求を受信すると、無線端末１は、呼出要求に対する応答として呼出応答を、無線基地局３に対して送信する（ステップＳ４６）。
応答信号を受信すると、無線基地局７は、制御サーバ４に対し、無線端末１からの呼出応答信号を送信する（ステップＳ４７）。
【００４８】
呼出応答信号が入力されると、制御サーバ４は、無線端末１と接続されたことを検出し、サーバ７から送信されたデータのデータ送信を、無線基地局３に対して行う（ステップＳ４８）。
そして、無線基地局３は、制御サーバ４から入力されるサーバ７からのデータを、無線端末１に対して送信する（ステップＳ４９）。
次に、無線端末１は、無線基地局３から入力されるサーバ７からのデータを、センサ・アクチュエータ２に対してデータ送信する（ステップＳ５０）。
【００４９】
上記データ送信を受信すると、センサ・アクチュエータ２は、データを正常に受信したことを示すＡＣＫ（Acknowledgment）信号を、無線端末１に対して出力する（ステップＳ５１）。
上記ＡＣＫ信号を受信すると、無線端末１は、上記ＡＣＫ信号を、無線基地局３に対して出力する（ステップＳ５２）。
【００５０】
そして、無線基地局３は、無線端末１から受信したＡＣＫ信号を、制御サーバ４に対して送信する（ステップＳ５３）。
また、制御サーバ４は、ゲートウェイサーバ５に対し、受信したＡＣＫ信号を送信する（ステップＳ５４）。
上記ＡＣＫ信号を入信すると、ゲートウェイーバ５は、受信したＡＣＫ信号をサーバ７に対して送信する（ステップＳ５５）。
【００５１】
上述したように、ゲートウェイサーバ５は、すでに説明したように、自身内部のキャッシュに無線端末１の通信受付に関するユーザプロファイル情報を一時記憶しているため、データベース６に対し、改めてユーザプロファイル情報を問い合わせることなく、通信受付を行い、無線端末１それぞれに対するデータ送信の可否の判定を行い、判定結果をサーバ７へ送信する。
【００５２】
＜サーバ７へのセンサ・アクチュエータ２の発呼＞
次に、本発明の一実施形態による無線通信システムにおけるサーバ７へのセンサ・アクチュエータ２の発呼の処理を図面を参照して説明する。図６は同実施形態による無線通信システムにおけるサーバ７へのセンサ・アクチュエータ２の発呼の動作例を示すシーケンス図である。
図６において、センサ・アクチュエータ２からデータ送信を受信すると、無線基地局３は制御サーバ４に対して通信受付の要求を送信する。
本実施形態の無線通信システムにおいて、制御サーバ４は、無線端末１からサーバ７に対してデータを送信する前に、当該データをサーバ７へ送信して良いか否かを、１パケット毎に行う通信受付において判定する。
【００５３】
センサ・アクチュエータ２は、データをサーバ７へデータ送信するため、無線端末１に対してデータ送信を行う（ステップＳ６０）。
データ送信を受信すると、無線端末１は、自身がサーバ７に対してデータ送信するための通信受付要求を、無線基地局３に対して送信する（ステップＳ６１）。
通信受付要求を受信すると、無線基地局３は、受信した通信受付要求を、制御サーバ４に対して送信する（ステップＳ６２）。
そして、制御サーバ４は、通信受付要求を受信すると、すでに述べた通信受付の判定処理を行い、判定結果を通信受付応答として無線基地局３へ送信する（ステップＳ６３）。
通信受付応答を受信すると、無線基地局３は、受信した制御サーバ４からの通信受付応答を無線端末１へ送信する（ステップＳ６４）。
【００５４】
通信受付応答が入力されると、無線端末１は、制御サーバ４と接続されたことを検出し、センサ・アクチュエータ２から送信されたデータのデータ送信を、無線基地局３に対して行う（ステップＳ６５）。
そして、無線基地局３は、無線端末１から入力されるセンサ・アクチュエータ２からのデータを、ゲートウェイサーバ５に対して送信する（ステップＳ６７）。
次に、ゲートウェイサーバ５は、制御サーバ４から入力されるセンサ・アクチュエータ２からのデータを、サーバ７に対してデータ送信する（ステップＳ６８）。
【００５５】
上記データ送信を受信すると、サーバ７は、データを正常に受信したことを示すＡＣＫ信号を、ゲートウェイサーバ５に対して出力する（ステップＳ６９）。
上記ＡＣＫ信号を受信すると、ゲートウェイサーバ５は、上記ＡＣＫ信号を、制御サーバ４に対して出力する（ステップＳ７０）。
【００５６】
そして、制御サーバ４は、ゲートウェイサーバ５から受信したＡＣＫ信号を、無線基地局３に対して送信する（ステップＳ７１）。
また、無線基地局３は、無線端末１に対し、受信したＡＣＫ信号を送信する（ステップＳ７２）。
上記ＡＣＫ信号を入信すると、無線端末１は、受信したＡＣＫ信号をセンサ・アクチュエータ２に対して送信する（ステップＳ７３）。
【００５７】
上述したように、無線基地局３から通信受付要求を受信すると、制御サーバ４は、すでに説明したように、自身内部のキャッシュに無線端末１の通信受付に関するユーザプロファイル情報を記憶しているため、データベース６に対して改めてユーザプロファイル情報を問い合わせることなく、通信受付を行い、無線端末１それぞれからのデータ送信の可否の判定を行い、判定結果を無線端末１へ送信する。
【００５８】
＜無線基地局３の構成＞
図１の本実施形態の無線通信システムにおける無線基地局３を図を用いて説明する。図７は、本実施形態による無線通信システムにおける無線基地局３の構成例を示すブロック図である。
無線基地局３は、通信インターフェース３１、無線通信インターフェース３２、制御部３３、位置登録状態判別部３４、経路処理部３５及びキャッシュ３６から構成されている。
通信インターフェース３１は、制御サーバ４とのデータ送受信を行うためのインターフェースである。
無線通信インターフェース３２は、データの送受信を行うため、無線端末１との間にて無線通信を行うインターフェースである。
【００５９】
位置登録状態判断部３４は、位置登録した無線端末１の端末識別情報に対応して、無線端末１の位置登録が行われているか否かの情報を記憶しており、入力された端末識別情報に対応して、登録の有無を判定する。
経路処理部３５は、後述するキャッシュ３６に記憶されているユーザプロファイル情報から宛先のサーバ７に対応した制御サーバ４の宛先情報を求める。
キャッシュ３６には、位置登録が成功した無線端末１の端末識別情報に対応し、当該無線端末１のユーザプロファイル情報が記憶され登録されている。
【００６０】
＜無線基地局３における位置登録要求受信時の処理＞
次に、本発明の一実施形態による無線通信システムにおける無線基地局３の位置登録要求受信時の処理を図面を参照して説明する。図８は同実施形態による無線通信システムにおける図７の無線基地局３が行う位置登録要求受信に対応した処理の動作例を示すシーケンス図である。
無線通信インターフェース３２は、無線端末１からの位置登録要求を受信する（ステップＳ８０）と、制御部３３に対して位置登録要求の通信内容を通知する（ステップＳ８１）。
【００６１】
上記位置登録要求の通信内容が入力されると、制御部３３は、位置登録を行う制御サーバ４の宛先情報の要求を、経路処理部３５に対して出力する（ステップＳ８２）。
そして、経路処理部３５は、無線端末１のデータの送信先であるサーバ７の宛先情報を、キャッシュ３６のユーザプロファイル情報から抽出し、制御部３３に対して送信する（ステップＳ８３）。
制御部３３は、経路処理部３５から入力される宛先情報の示す制御サーバ４に対して送信する位置登録要求を、通信インターフェース３１に対して送信する（ステップＳ８４）。
そして、通信インターフェース３１は、上記宛先情報の示す制御サーバ４に対して位置登録要求を送信する（ステップＳ８５）。
【００６２】
＜無線基地局３における位置登録応答受信時の処理＞
次に、本発明の一実施形態による無線通信システムにおける無線基地局３の位置登録応答時の処理を図面を参照して説明する。図９は同実施形態による無線通信システムにおける図７の無線基地局３が行う位置登録応答受信に対応した処理の動作例を示すシーケンス図である。
通信インターフェース３１は、制御サーバ４からの位置登録応答を受信する（ステップＳ９０）と、位置登録応答の通知内容（通信内容）を制御部３３に対して送信する（ステップＳ９１）。
【００６３】
位置登録応答の通知内容を受信すると、制御部３３は、位置登録の結果が成功か否かの判定を行い、成功していればキャッシュ３６に対し、位置登録を行った無線端末１のユーザプロファイル情報を当該無線端末１の端末識別情報に対応して記憶させ（ステップＳ９２）、また、位置登録の可否にかかわらず、制御サーバ４からの通知内容を無線通信インターフェース３２を介して無線端末１に対して送信する（ステップＳ９３）。
【００６４】
＜無線基地局３における位置登録完了受信時の処理＞
次に、本発明の一実施形態による無線通信システムにおける無線基地局３の位置登録完了時の処理を図面を参照して説明する。図１０は同実施形態による無線通信システムにおける図７の無線基地局３が行う位置登録応答受信に対応した処理の動作例を示すシーケンス図である。
無線通信インターフェース３２は、無線端末１からの位置登録完了を受信する（ステップＳ９４）と、位置登録完了の通知内容を制御部３３に対して送信する（ステップＳ９５）。
【００６５】
そして、制御部３３は、位置登録を行った無線端末１のユーザプロファイル情報をキャッシュに対して通知し（ステップＳ９６）、当該無線端末１の端末識別情報に対応し、位置登録応答に続き再度キャッシュに記憶させる（ステップＳ９７）。
また、制御部３３は、制御サーバ４に対し、無線端末１からの位置登録完了を送信するため、位置登録完了を通信インターフェース３１へ送信する（ステップＳ９８）。
位置登録完了を受信すると、通信インターフェース３１は、当該位置登録完了を制御サーバ４に対して送信する（ステップＳ９９）。
【００６６】
＜無線基地局３におけるサーバ７発呼時の処理＞
次に、本発明の一実施形態による無線通信システムにおける無線基地局３のサーバ７発呼時の呼出要求の処理を図面を参照して説明する。図１１は同実施形態による無線通信システムにおける図７の無線基地局３が行うサーバ７の発呼の呼出要求に対応した処理の動作例を示すシーケンス図である。
通信インターフェース３１は、制御サーバ４からの呼出要求を受信する（ステップＳ１００）と、呼出要求の通知内容を制御部３３に対して送信する（ステップＳ１０１）。
【００６７】
制御部３３は、通知内容に含まれる端末識別情報により、キャッシュ３６からユーザ情報（ユーザプロファイル情報）を取得する（ステップＳ１０２及び１０３）。
そして、制御部３３は、ユーザ情報に含まれるアドレスが示す無線端末１に対して呼出要求を送信するため、呼出要求を無線通信インターフェース３２に対して送信する（ステップＳ１０４）。
これにより、無線通信インターフェース３２は、無線端末１に対して呼出要求を送信する（ステップＳ１０５）。
【００６８】
＜無線基地局３におけるサーバ７発呼時の処理＞
次に、本発明の一実施形態による無線通信システムにおける無線基地局３のサーバ７発呼時の呼出応答の処理を図面を参照して説明する。図１２は同実施形態による無線通信システムにおける図７の無線基地局３が行うサーバ７の発呼の呼出応答に対応した処理の動作例を示すシーケンス図である。
無線通信インターフェース３２は、無線端末１からの呼出応答を受信する（ステップＳ１０６）と、呼出応答の通知内容を制御部３３に対して送信する（ステップＳ１０７）。
そして、制御部３３は、制御サーバ４に対して呼出応答を送信するため、呼出応答を通信インターフェース３１に対して送信する（ステップＳ１０８）。
これにより、通信インターフェース３１は、制御サーバ４に対して呼出応答を送信する（ステップＳ１０９）。
【００６９】
＜無線基地局３におけるサーバ７発呼時の処理＞
次に、本発明の一実施形態による無線通信システムにおける無線基地局３のサーバ７発呼時のデータ送信受信の処理を図面を参照して説明する。図１３は同実施形態による無線通信システムにおける図７の無線基地局３が行うサーバ７の発呼のデータ送信受信に対応した処理の動作例を示すシーケンス図である。
通信インターフェース３１は、制御サーバ４からのデータ送信を受信する（ステップＳ１１０）と、データ送信の通知内容を制御部３３に対して送信する（ステップＳ１１１）。
【００７０】
そして、制御部３３は、通知内容に含まれる端末識別情報により、キャッシュ３６からユーザ情報（ユーザプロファイル情報）を取得する（ステップＳ１１２及び１１３）。
そして、制御部３３は、ユーザ情報に含まれるアドレスが示す無線端末１に対してデータ送信を送信するため、データ送信を無線通信インターフェース３２に対して送信する（ステップＳ１１４）。
これにより、無線通信インターフェース３２は、無線端末１に対してデータ送信を送信する（ステップＳ１１５）。
【００７１】
＜無線基地局３におけるサーバ７発呼時の処理＞
次に、本発明の一実施形態による無線通信システムにおける無線基地局３のサーバ７発呼時のＡＣＫ受信の処理を図面を参照して説明する。図１４は同実施形態による無線通信システムにおける図７の無線基地局３が行うサーバ７の発呼のＡＣＫ受信に対応した処理の動作例を示すシーケンス図である。
無線通信インターフェース３２は、無線端末１からのＡＣＫを受信する（ステップＳ１１６）と、ＡＣＫの通知内容を制御部３３に対して送信する（ステップＳ１１７）。
そして、制御部３３は、制御サーバ４に対してＡＣＫを送信するため、ＡＣＫを通信インターフェース３１に対して送信する（ステップＳ１１８）。
これにより、通信インターフェース３１は、制御サーバ４に対してＡＣＫを送信する（ステップＳ１１９）。
【００７２】
＜無線基地局３におけるセンサ・アクチュエータ２発呼時の処理＞
次に、本発明の一実施形態による無線通信システムにおける無線基地局３のセンサ・アクチュエータ２発呼時の通信受付要求受信の処理を図面を参照して説明する。図１５は同実施形態による無線通信システムにおける図７の無線基地局３が行うセンサ・アクチュエータ２の発呼の通信受付要求受信に対応した処理の動作例を示すシーケンス図である。
無線通信インターフェース３２は、無線端末１からの通信受付要求を受信する（ステップＳ１２０）と、通信受付要求の通知内容を制御部３３に対して送信する（ステップＳ１２１）。
【００７３】
そして、上記通信受付要求の通信内容が入力されると、制御部３３は、通信受付を行う制御サーバ４の宛先情報の要求を、経路処理部３５に対して出力する（ステップＳ１２２）。
次に、経路処理部３５は、無線端末１のデータの送信先であるサーバ７の宛先情報を、キャッシュ３６のユーザプロファイル情報から抽出し、制御部３３に対して送信する（ステップＳ１２３）。
制御部３３は、経路処理部３５から入力される宛先情報の示す制御サーバ４に対して送信する通信受付要求を、通信インターフェース３１に対して送信する（ステップＳ１２４）。
そして、通信インターフェース３１は、上記宛先情報の示す制御サーバ４に対して通信受付要求を送信する（ステップＳ１２５）。
【００７４】
＜無線基地局３におけるセンサ・アクチュエータ２発呼時の処理＞
次に、本発明の一実施形態による無線通信システムにおける無線基地局３のセンサ・アクチュエータ２発呼時の通信受付応答受信の処理を図面を参照して説明する。図１６は同実施形態による無線通信システムにおける図７の無線基地局３が行うセンサ・アクチュエータ２の発呼の通信受付応答受信に対応した処理の動作例を示すシーケンス図である。
通信インターフェース３１は、制御サーバ４からの通信受付応答を受信する（ステップＳ１２６）と、通信受付応答の通知内容を制御部３３に対して送信する（ステップＳ１２７）。
そして、制御部３３は、無線端末１に対して通信受付応答を送信するため、通信受付応答を無線通信インターフェース３２に対して送信する（ステップＳ１２８）。
これにより、無線通信インターフェース３２は、無線端末１に対して通信受付応答を送信する（ステップＳ１２９）。
【００７５】
＜無線基地局３におけるセンサ・アクチュエータ２発呼時の処理＞
次に、本発明の一実施形態による無線通信システムにおける無線基地局３のセンサ・アクチュエータ２発呼時のデータ送信受信の処理を図面を参照して説明する。図１７は同実施形態による無線通信システムにおける図７の無線基地局３が行うセンサ・アクチュエータ２の発呼のデータ送信受信に対応した処理の動作例を示すシーケンス図である。
無線通信インターフェース３２は、無線端末１からのデータ送信を受信する（ステップＳ１３０）と、データ送信の通知内容を制御部３３に対して送信する（ステップＳ１３１）。
そして、制御部３３は、制御サーバ４に対してデータ送信を送信するため、データ送信を通信インターフェース３１に対して送信する（ステップＳ１３２）。
これにより、通信インターフェース３１は、制御サーバ４に対してデータ送信を送信する（ステップＳ１３３）。
【００７６】
＜無線基地局３におけるセンサ・アクチュエータ２発呼時の処理＞
次に、本発明の一実施形態による無線通信システムにおける無線基地局３のセンサ・アクチュエータ２発呼時のＡＣＫ受信の処理を図面を参照して説明する。図１８は同実施形態による無線通信システムにおける図７の無線基地局３が行うセンサ・アクチュエータ２の発呼のＡＣＫ受信に対応した処理の動作例を示すシーケンス図である。
通信インターフェース３１は、制御サーバ４からのＡＣＫを受信する（ステップＳ１３４）と、ＡＣＫの通知内容を制御部３３に対して送信する（ステップＳ１３５）。
そして、制御部３３は、無線端末１に対してＡＣＫを送信するため、ＡＣＫを無線通信インターフェース３２に対して送信する（ステップＳ１３６）。
これにより、無線通信インターフェース３２は、無線端末１に対してＡＣＫを送信する（ステップＳ１３７）。
【００７７】
＜制御サーバ４の構成＞
図１の本実施形態の無線通信システムにおける制御サーバ４を図を用いて説明する。図１９は、本実施形態による無線通信システムにおける制御サーバ４の構成例を示すブロック図である。
制御サーバ４は、通信インターフェース４１、制御部４２、キャッシュ４３、位置登録処理部４４、通信受付処理部４５及び経路処理部４６から構成されている。
通信インターフェース４１は、無線基地局３とのデータ送受信を行うためのインターフェースである。
制御部４２は、制御サーバ４の各部の制御を行う。
【００７８】
キャッシュ４３には、位置登録が成功した無線端末１の端末識別情報に対応し、当該無線端末１のユーザプロファイル情報が記憶され登録されている。
位置登録処理部４４は、位置登録を要求する無線端末１の位置登録を行い、前記キャッシュ４３に、端末識別情報に対応して、無線端末１のユーザプロファイル情報登録を行う。
通信受付処理部４５は、すでに述べたように、無線端末１がサーバ７に対してパケットを送信する際に、ユーザプロファイル情報に設定されている制限内のパケット送信料であるか否かにより、通信受付の可否を判定する。
経路処理部４６は、上記キャッシュ４３に記憶されているユーザプロファイル情報から宛先のサーバ７に対応したゲートウェイサーバ５の宛先情報を求める。
【００７９】
＜制御サーバ４における位置登録時の処理＞
次に、本発明の一実施形態による無線通信システムにおける制御サーバ４の無線端末１の位置登録の位置登録要求受信時の処理を図面を参照して説明する。図２０は同実施形態による無線通信システムにおける図１９の制御サーバ４が行う無線端末１の位置登録の位置登録要求受信に対応した処理の動作例を示すシーケンス図である。
通信インターフェース４１は、無線基地局３からの位置登録要求を受信する（ステップＳ１４０）と、位置登録要求の通知内容を制御部４２に対して送信する（ステップＳ１４１）。
【００８０】
そして、上記登録要求の通信内容が入力されると、制御部４２は、無線端末１のユーザプロファイル情報を取得するデータベース６の宛先情報の要求を、経路処理部４６に対して出力する（ステップＳ１４２）。
次に、経路処理部４６は、データベース６の宛先情報を内部記憶部から抽出し、抽出したデータベース６の宛先情報を、制御部４２に対して送信する（ステップＳ１４３）。
制御部４２は、経路処理部４６から入力されるデータベース６の宛先情報に対し、入力された端末識別情報に対応したユーザプロファイル情報の要求を送信するため、データベース６の宛先情報と無線端末１の端末識別情報とを、通信インターフェース４１に対して送信する（ステップＳ１４４）。
そして、通信インターフェース４１は、上記宛先情報の示すデータベース６に対し、無線端末１の端末識別情報に対応したユーザプロファイル情報の要求を送信する（ステップＳ１４５）。
【００８１】
＜制御サーバ４における位置登録時の処理＞
次に、本発明の一実施形態による無線通信システムにおける制御サーバ４のデータベース６からのユーザプロファイル情報応答受信時の処理を図面を参照して説明する。図２１は同実施形態による無線通信システムにおける図１９の制御サーバ４が行うデータベース６からのユーザプロファイル情報応答受信に対応した処理の動作例を示すシーケンス図である。
通信インターフェース４１は、データベース６からユーザプロファイル情報を受信する（ステップＳ１５０）と、ユーザプロファイル情報の通知内容を制御部４２に対して送信する（ステップＳ１５１）。
【００８２】
上記通知内容を入力すると、制御部４２は、位置登録要求とユーザプロファイル情報応答の通知内容とを、位置登録処理部４４に対して送信する（ステップＳ１５２）。
これにより、位置登録処理部４４は、位置登録要求とユーザプロファイル情報応答の通知内容とから、すなわちユーザプロファイル情報応答がユーザプロファイル情報の検索において位置登録要求を行った無線端末１が登録されており、ユーザプロファイル情報が取得できたか否かを判定し、無線端末１の端末識別情報が登録されている場合に登録可、無線端末１の端末識別情報が登録されていない場合に登録不可との判定を行い、この判定結果（登録可、あるいは登録不可）を制御部４２に送信する（ステップＳ１５３）。
【００８３】
制御部４２は、位置登録不可の場合に登録要求を破棄し、位置登録可の場合にユーザプロファイル情報をキャッシュ４３に記憶させて登録する（ステップＳ１５５）。
また、制御部４２は、位置登録可であり、キャッシュ４３に位置登録要求を行った無線端末１のユーザプロファイル情報を登録した後、無線基地局３に対して位置登録応答を送信するため、位置登録応答を通信インターフェース４１に対して送信する（ステップＳ１５６）。
そして、通信インターフェース４１は、入力された位置登録応答を無線基地局３に対して送信する（ステップＳ１５７）。
【００８４】
＜制御サーバ４における位置登録時の処理＞
次に、本発明の一実施形態による無線通信システムにおける制御サーバ４の無線基地局３からの位置登録完了受信時の処理を図面を参照して説明する。図２２は同実施形態による無線通信システムにおける図１９の制御サーバ４が行う無線基地局３からの位置登録完了受信に対応した処理の動作例を示すシーケンス図である。
通信インターフェース４１は、無線基地局３から無線端末１の位置登録完了を受信する（ステップＳ１６０）と、位置登録完了の通知内容を制御部４２に対して送信する（ステップＳ１６１）。
【００８５】
位置登録完了の通知内容を受信することにより、制御部４２は、無線端末１の宛先であるサーバ７に対応したゲートウェイサーバ５の宛先情報の要求を、経路処理部４６に対して出力する（ステップＳ１６２）。
次に、経路処理部４６は、ゲートウェイサーバ５の宛先情報を内部記憶部から抽出し、抽出したゲートウェイサーバ５の宛先情報を、制御部４２に対して送信する（ステップＳ１６３）。
そして、制御部４２は、キャッシュから無線端末１に対応するユーザプロファイル情報を読み出し（ステップＳ１６４、Ｓ１６５）、ユーザ在圏位置情報の登録要求をゲートウェイサーバ５に対して送信するため、ユーザ在圏位置情報の登録要求を通信インターフェース５へ送信する（ステップＳ１６７）。
これにより、通信インターフェース５は、ゲートウェイサーバ５に対し、ユーザ在圏位置情報の登録要求を送信する（ステップＳ１６８）。
【００８６】
＜制御サーバ４における無線基地局３への発呼時の処理＞
次に、本発明の一実施形態による無線通信システムにおける制御サーバ４のゲートウェイサーバ５からのデータ送信の受信時の処理を図面を参照して説明する。図２３は同実施形態による無線通信システムにおける図１９の制御サーバ４が行うゲートウェイサーバ５からのデータ送信の受信に対応した処理の動作例を示すシーケンス図である。
通信インターフェース４１は、ゲートウェイサーバ５からデータ送信（サーバ７が送信）を受信する（ステップＳ１７０）と、上記データ送信のデータにおける通知内容を制御部４２に対して送信する（ステップＳ１７１）。
データ送信の通知内容を受信すると、制御部４２は、サーバ７のデータ送信先の無線端末１の在圏する無線基地局３の宛先情報を、経路処理部４６に対して要求する（ステップＳ１７２）。
【００８７】
これにより、経路処理部４６は、キャッシュにユーザプロファイル情報とともに記憶されている無線端末１の端末識別情報に対応した無線基地局３の宛先情報を読み出し、すなわち、当該無線端末１が在圏する無線基地局３の宛先情報を検出し、この宛先情報を制御部４２に対して出力する（ステップＳ１７３）。
無線基地局３の宛先情報が入力されると、制御部４２は、無線基地局３に対して呼出要求を送信するため、この呼出要求をインターフェース４１へ送信する（ステップＳ１７４）。
そして、通信インターフェース４１は、データ送信を行うための呼出要求を、無線基地局３へ送信する（ステップＳ１７５）。
【００８８】
＜制御サーバ４における無線基地局３への発呼時の処理＞
次に、本発明の一実施形態による無線通信システムにおける制御サーバ４のゲ無線基地局３からの呼出応答の受信時の処理を図面を参照して説明する。図２４は同実施形態による無線通信システムにおける図１９の制御サーバ４が行う無線基地局３からの呼出応答の受信に対応した処理の動作例を示すシーケンス図である。
通信インターフェース４１は、無線基地局３からの発呼に対する呼出応答を受信する（ステップＳ１７６）と、上記呼出応答における通知内容を制御部４２に対して送信する（ステップＳ１７７）。
【００８９】
無線基地局３からの呼出応答を受信すると、制御部４２は、サーバ７からのデータ送信を無線基地局３へ送信するため、このデータ送信を通信インターフェース４１へ送信する（ステップＳ１７８）。
そして、通信インターフェース４１は、呼出応答を送信した無線基地局３に対し、サーバ７からのデータ送信を送信する（ステップＳ１７９）。
【００９０】
＜制御サーバ４における無線基地局３への発呼時の処理＞
次に、本発明の一実施形態による無線通信システムにおける制御サーバ４の無線基地局３からのＡＣＫの受信時の処理を図面を参照して説明する。図２５は同実施形態による無線通信システムにおける図１９の制御サーバ４が行う無線基地局３からのＡＣＫの受信に対応した処理の動作例を示すシーケンス図である。
通信インターフェース４１は、無線基地局３からのデータ送信に対するＡＣＫを受信する（ステップＳ１８０）と、上記ＡＣＫにおける通知内容（データ送信が正常になされ、センサ・アクチュエータ２がデータ送信を受信したこと）を制御部４２に対して送信する（ステップＳ１８１）。
【００９１】
無線基地局３からのＡＣＫを受信すると、制御部４２は、このＡＣＫ（センサ・アクチュエータ２から送信された）をゲートウェイサーバ５へ送信するため、このＡＣＫを通信インターフェース４１へ送信する（ステップＳ１８２）。
そして、通信インターフェース４１は、データ送信を送信したゲートウェイサーバ５に対し、無線基地局３から、すなわちセンサ・アクチュエータ２からのＡＣＫを送信する（ステップＳ１７９）。
【００９２】
＜制御サーバ４におけるセンサ・アクチュエータ２の発呼時の処理＞
次に、本発明の一実施形態による無線通信システムにおける制御サーバ４の無線基地局３からの通信受付要求（センサ・アクチュエータ２の発呼に対応）の受信時の処理を図面を参照して説明する。図２６は同実施形態による無線通信システムにおける図１９の制御サーバ４が行う無線基地局３からの通信受付要求の受信に対応した処理の動作例を示すシーケンス図である。
通信インターフェース４１は、無線基地局３からのセンサ・アクチュエータ２が接続された無線端末１の発呼に対応した通信受付要求を受信する（ステップＳ１９０）と、上記通信受付要求における通知内容（要求する無線端末１の端末識別情報を含む）を制御部４２に対して送信する（ステップＳ１９１）。
【００９３】
無線端末１からの通信受付要求を受信すると、制御部４２は、通信受付要求における通知内容を、通信受付処理部４５に対して送信する（ステップＳ１９２）。
これにより、通信受付処理部４５は、当該無線端末１の端末識別情報に対応したユーザプロファイル情報をキャッシュから読み出す（ステップＳ１９３及びＳ１９４）。
そして、通信受付処理部４５は、読み出したユーザプロファイル情報を用いて、すでに説明した通信受付の処理を行い、当該無線端末１の通信受付の可否を判定し、可否の結果を制御部４２に対して送信する（ステップＳ１９５）。
上記可否の結果を受信すると、制御部４２は、この可否の結果を通信受付応答として無線基地局３に送信するため、通信インターフェース４１に対して上記通信受付応答を送信する（ステップＳ１９６）。
そして、通信インターフェース４１は、上記通信受付応答を無線基地局３に対して送信する（ステップＳ１９７）。
【００９４】
＜制御サーバ４におけるセンサ・アクチュエータ２の発呼時の処理＞
次に、本発明の一実施形態による無線通信システムにおける制御サーバ４の無線基地局３からのデータ送信（センサ・アクチュエータ２の送信したデータ送信に対応）の受信時の処理を図面を参照して説明する。図２７は同実施形態による無線通信システムにおける図１９の制御サーバ４が行う無線基地局３からのデータ送信の受信に対応した処理の動作例を示すシーケンス図である。
通信インターフェース４１は、無線基地局３からのセンサ・アクチュエータ２の送信したデータ送信を受信する（ステップＳ２００）と、上記データ送信における通知内容（センサ・アクチュエータ２の取得したデータを含む）を制御部４２に対して送信する（ステップＳ２０１）。
【００９５】
データ送信の通知内容を受信することにより、制御部４２は、無線端末１の宛先であるサーバ７に対応したゲートウェイサーバ５の宛先情報の要求を、経路処理部４６に対して出力する（ステップＳ２０２）。
次に、経路処理部４６は、ゲートウェイサーバ５の宛先情報を内部記憶部から抽出し、抽出したゲートウェイサーバ５の宛先情報を、制御部４２に対して送信する（ステップＳ２０３）。
そして、制御部４２は、受信したデータ送信（センサ・アクチュエータ２からの）をゲートウェイサーバ５に対して送信するため、データ送信を通信インターフェース５へ送信する（ステップＳ２０４）。
これにより、通信インターフェース５は、ゲートウェイサーバ５に対し、データ送信を送信する（ステップＳ２０５）。
【００９６】
＜制御サーバ４におけるセンサ・アクチュエータ２の発呼時の処理＞
次に、本発明の一実施形態による無線通信システムにおける制御サーバ４のゲートウェイサーバ５からのＡＣＫの受信時の処理を図面を参照して説明する。図２８は同実施形態による無線通信システムにおける図１９の制御サーバ４が行うゲートウェイサーバ５からのＡＣＫの受信に対応した処理の動作例を示すシーケンス図である。
通信インターフェース４１は、データ送信に対するＡＣＫをゲートウェイサーバ５からの受信する（ステップＳ２０６）と、上記ＡＣＫにおける通知内容（データ送信が正常になされ、サーバ７がデータ送信を受信したこと）を制御部４２に対して送信する（ステップＳ２０７）。
【００９７】
ゲートウェイサーバ５からのＡＣＫを受信すると、制御部４２は、このＡＣＫ（サーバ７から送信された）を無線基地局３へ送信するため、このＡＣＫを通信インターフェース４１へ送信する（ステップＳ２０８）。
そして、通信インターフェース４１は、データ送信を送信した無線基地局３に対し、ゲートウェイサーバ５から、すなわちサーバ７からのＡＣＫを送信する（ステップＳ２０９）。
【００９８】
＜制御サーバ４の構成＞
図１の本実施形態の無線通信システムにおけるゲートウェイサーバ５を図を用いて説明する。図２９は、本実施形態による無線通信システムにおけるゲートウェイサーバ５の構成例を示すブロック図である。
ゲートウェイサーバ５は、通信インターフェース５１、制御部５２、キャッシュ５３、課金処理部５４、通信受付処理部５５及び経路処理部５６から構成されている。
通信インターフェース５１は、制御サーバ４及びサーバ７とのデータ送受信を行うためのインターフェースである。
制御部５２は、ゲートウェイサーバ５の各部の制御を行う。
【００９９】
キャッシュ５３には、位置登録が成功した無線端末１の端末識別情報に対応し、当該無線端末１のユーザプロファイル情報が記憶され登録されている。
課金処理部５４は、無線端末１とサーバ７との間にて送受信したパケット数に応じて、無線端末１の端末識別情報毎に課金処理を行う。
通信受付処理部５５は、すでに述べたように、サーバ７が無線端末１に対してパケットを送信する際に、ユーザプロファイル情報に設定されている制限内のパケット送信量であるか否かにより、通信受付の可否を判定する。
経路処理部５６は、上記キャッシュ５３に記憶されているユーザプロファイル情報から宛先の無線端末１が在圏する無線基地局３の宛先情報を求める。
【０１００】
＜ゲートウェイサーバ５における無線端末１の位置登録時の処理＞
次に、本発明の一実施形態による無線通信システムにおけるゲートウェイサーバ５が制御サーバ４からのユーザ在圏位置情報の受信時の処理を図面を参照して説明する。図３０は同実施形態による無線通信システムにおける図２９のゲートウェイサーバ５が行う制御サーバ４からのユーザ在圏位置情報の受信に対応した処理の動作例を示すシーケンス図である。
通信インターフェース５１は、無線端末１のユーザ在圏位置情報を制御サーバ４から受信する（ステップＳ２１０）と、上記ユーザ在圏位置情報における通知内容（無線端末１がいずれの無線基地局３との通信範囲に在圏しているかを含む）を制御部５２に対して送信する（ステップＳ２１１）。
【０１０１】
ユーザ在圏位置情報を受信すると、制御部５２は、キャッシュに対して無線端末１の端末識別情報に対応して、制御サーバ４からユーザ在圏位置情報とともに送信されたユーザプロファイル情報とともに、当該無線端末１のユーザ在圏位置情報を、キャッシュ５３に対して書き込み、無線端末１のユーザ在圏位置情報の登録を行う（ステップＳ２１２）。
また、制御部５２は、制御サーバ４に対してユーザ在圏位置情報の登録応答を送信するため、通信インターフェース５１に対し、上記ユーザ在圏位置情報の登録応答を送信する（ステップＳ２１３）
そして、通信インターフェース４１は、ユーザ在圏位置情報の登録応答を、制御サーバ４に対して送信する（ステップＳ２１４）。
【０１０２】
＜ゲートウェイサーバ５におけるサーバ７の発呼時の処理＞
次に、本発明の一実施形態による無線通信システムにおけるゲートウェイサーバ５がサーバ７からのデータ送信の受信時の処理を図面を参照して説明する。図３１は同実施形態による無線通信システムにおける図２９のゲートウェイサーバ５が行うサーバ７からのデータ送信の受信に対応した処理の動作例を示すシーケンス図である。
通信インターフェース５１は、センサ・アクチュエータ２に対する制御のデータに関するデータ送信を、サーバ７から受信する（ステップＳ２２０）と、上記サーバ７からのデータ送信における通知内容（センサ・アクチュエータ２に対する制御データを含む）を制御部５２に対して送信する（ステップＳ２２１）。
【０１０３】
サーバ７からの上記データ送信の通知内容を受信すると、制御部５２は、データ送信に含まれる無線端末１の端末識別情報を送信受付処理部５５に送信し、当該無線端末１に対する通信受付の処理を要求する（ステップＳ２２２）。
上記通信受付の処理の要求を受信すると、送信受付処理部５５は、通信受付対象の無線端末１の端末識別情報に対応するユーザプロファイル情報をキャッシュ５３から読み出す（ステップＳ２２３、Ｓ２２４）。
そして、送信受付処理部５５は、読み出したユーザプロファイル情報により、無線端末１に対するパケットの送信の可否、すなわち、すでに述べたように通信受付の可否を判定し、可否の判定結果を制御部５２に対して送信する（ステップＳ２２５）。
【０１０４】
通信受付の可否の判定結果を受信すると、制御部５２は、可否の結果を含む通信受付応答をサーバ７へ送信するために、この通信受付応答を通信インターフェース５１に対して送信する（ステップＳ２２６）。
そして、通信インターフェース５１は、通信受付の判定結果を示す通信受付応答を、サーバ７に対して出力する（ステップＳ２２７）。
また、制御部５２は、通信応答の内容が通信受付否（通信受付ができない）である場合、データ送信のデータを破棄して処理を終了し、通信応答の内容が通信受付可である場合、データ送信を送信する制御サーバ４の宛先情報を経路処理部５６に対して要求する（ステップＳ２２８）。
【０１０５】
これにより、経路処理部５６は、宛先の無線端末１に対応した（ユーザ在圏位置情報における在圏する無線基地局３に接続されている）制御サーバ４の宛先情報を、キャッシュ５３から読み出し、この宛先情報を制御部５２に対して送信する（ステップＳ２２９）。
宛先情報を受信すると、制御部５２は、制御サーバ４に対してデータ送信を送信するため、通信インターフェース５１に対してデータ送信を送信する（ステップＳ２３０）。
そして、通信インターフェース５１は、宛先情報に対応した制御サーバ４に対し、データ送信を送信する（ステップＳ２３１）。
【０１０６】
＜ゲートウェイサーバ５におけるサーバ７の発呼時の処理＞
次に、本発明の一実施形態による無線通信システムにおけるゲートウェイサーバ５がセンサ・アクチュエータ２からのＡＣＫの受信時の処理を図面を参照して説明する。図３２は同実施形態による無線通信システムにおける図２９のゲートウェイサーバ５が行うセンサ・アクチュエータ２からのＡＣＫの受信に対応した処理の動作例を示すシーケンス図である。
通信インターフェース５１は、センサ・アクチュエータ２から送信されたＡＣＫを、制御サーバ４から入力する（ステップＳ２４０）と、上記センサ・アクチュエータ２からのデータ送信に対する返答であるＡＣＫの通知内容を制御部５２に対して送信する（ステップＳ２４１）。
【０１０７】
制御サーバ４からＡＣＫが入力されると、制御部５２は、データ送信を行ったサーバ７に対して上記ＡＣＫを送信するため、このＡＣＫを通信インターフェース５１に対して送信する（ステップＳ５１）。
そして、通信インターフェース５１は、受信するＡＣＫをサーバ７に対して送信する（ステップＳ２４３）。
【０１０８】
＜ゲートウェイサーバ５におけるセンサ・アクチュエータ２の発呼時の処理＞
次に、本発明の一実施形態による無線通信システムにおけるゲートウェイサーバ５がセンサ・アクチュエータ２によるデータ送信を制御サーバ４から受信した時の処理を図面を参照して説明する。図３３は同実施形態による無線通信システムにおける図２９のゲートウェイサーバ５が行うセンサ・アクチュエータ２によるデータ送信を制御サーバ４から受信した際の処理の動作例を示すシーケンス図である。
通信インターフェース５１は、センサ・アクチュエータ２から送信されたデータ送信を、制御サーバ４から入力する（ステップＳ２５０）と、上記センサ・アクチュエータ２からのデータ送信の通知内容を制御部５２に対して送信する（ステップＳ２５１）。
データ送信の通知内容が入力されると、制御部５２は、センサ・アクチュエータ２からのデータ送信をサーバ７に対して送信するため、通信インターフェース５１に対して送信する（ステップＳ２５２）。
そして、通信インターフェース５１は、受信するデータ送信をサーバ７に対して送信する（ステップＳ２５３）。
【０１０９】
＜ゲートウェイサーバ５におけるセンサ・アクチュエータ２の発呼時の処理＞
次に、本発明の一実施形態による無線通信システムにおけるゲートウェイサーバ５がサーバ７からのＡＣＫを受信した時の処理を図面を参照して説明する。図３４は同実施形態による無線通信システムにおける図２９のゲートウェイサーバ５が行うサーバ７からのＡＣＫを受信した際の処理の動作例を示すシーケンス図である。
通信インターフェース５１は、センサ・アクチュエータ２からのデータ送信を受信したことを示すＡＣＫをサーバ７から受信する（ステップＳ２６０）と、上記サーバ７からのＡＣＫの通知内容を制御部５２に対して送信する（ステップＳ２６１）。
ＡＣＫの通知内容を受信すると、制御部５２は、データ送信を送信した制御サーバ４にＡＣＫを送信するため、通信インターフェース５１に対して上記ＡＣＫを送信する（ステップＳ２６２）。
そして、通信インターフェース５１は、制御サーバ４にＡＣＫを送信する（ステップＳ２６３）。
【０１１０】
＜データベース６の構成＞
図１の本実施形態の無線通信システムにおけるデータベース６を図を用いて説明する。図３５は、本実施形態による無線通信システムにおけるデータベース６の構成例を示すブロック図である。
データベース６は、制御部６１、通信インターフェース６２及びデータベース部６３から構成されている。
制御部６１は、通信インターフェース６２から入力されるデータをデータベース部６３に記憶させたり（例えば、端末識別情報に対応させてユーザプロファイル情報を格納）、あるいは入力される検索キー（例えば、端末識別情報）により、ユーザプロファイル情報を検索し、通信インターフェース６２から送信する。
【０１１１】
なお、図１における無線基地局３、制御サーバ４、ゲートウェイサーバ５各々の機能を実現するためのそれぞれの動作を記述したプログラムをコンピュータ読み取り可能な記録媒体に記録して、この記録媒体に記録されたプログラムをコンピュータシステムに読み込ませ、実行することにより各処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０１１２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【０１１３】
【図１】本発明の一実施形態における無線通信システムの構成例を示すブロック図である。
【図２】本実施形態に用いるパケットの構成を示す概念図である。
【図３】本実施形態における無線端末１の位置登録処理の動作を説明するシーケンス図である。
【図４】本実施形態におけるサーバ７の発呼時における動作を説明するシーケンス図である。
【図５】本実施形態におけるサーバ７の発呼時における他の動作を説明するシーケンス図である。
【図６】本実施形態におけるセンサ・アクチュエータ２の発呼時における動作を説明するシーケンス図である。
【図７】図１の無線通信システムにおける無線基地局３の構成例を示すブロック図である。
【図８】無線基地局３にて行われる無線端末１の位置登録処理の動作例を示すシーケンス図である。
【図９】無線基地局３にて行われる無線端末１の位置登録処理の動作例を示すシーケンス図である。
【図１０】無線基地局３にて行われる無線端末１の位置登録処理の動作例を示すシーケンス図である。
【図１１】無線基地局３にて行われるサーバ７発呼時における処理の動作例を示すシーケンス図である。
【図１２】無線基地局３にて行われるサーバ７発呼時における処理の動作例を示すシーケンス図である。
【図１３】無線基地局３にて行われるサーバ７発呼時における処理の動作例を示すシーケンス図である。
【図１４】無線基地局３にて行われるサーバ７発呼時における処理の動作例を示すシーケンス図である。
【図１５】無線基地局３にて行われるセンサ・アクチュエータ２の発呼時における処理の動作例を示すシーケンス図である。
【図１６】無線基地局３にて行われるセンサ・アクチュエータ２の発呼時における処理の動作例を示すシーケンス図である。
【図１７】無線基地局３にて行われるセンサ・アクチュエータ２の発呼時における処理の動作例を示すシーケンス図である。
【図１８】無線基地局３にて行われるセンサ・アクチュエータ２の発呼時における処理の動作例を示すシーケンス図である。
【図１９】図１の無線通信システムにおける制御サーバ４の構成例を示すブロック図である。
【図２０】制御サーバ４にて行われる無線端末１の位置登録時における処理の動作例を示すシーケンス図である。
【図２１】制御サーバ４にて行われる無線端末１の位置登録時における処理の動作例を示すシーケンス図である。
【図２２】制御サーバ４にて行われる無線端末１の位置登録時における処理の動作例を示すシーケンス図である。
【図２３】制御サーバ４にて行われるサーバ７の発呼時における処理の動作例を示すシーケンス図である。
【図２４】制御サーバ４にて行われるサーバ７の発呼時における処理の動作例を示すシーケンス図である。
【図２５】制御サーバ４にて行われるサーバ７の発呼時における処理の動作例を示すシーケンス図である。
【図２６】制御サーバ４にて行われるセンサ・アクチュエータ２の発呼時における処理の動作例を示すシーケンス図である。
【図２７】制御サーバ４にて行われるセンサ・アクチュエータ２の発呼時における処理の動作例を示すシーケンス図である。
【図２８】制御サーバ４にて行われるセンサ・アクチュエータ２の発呼時における処理の動作例を示すシーケンス図である。
【図２９】図１の無線通信システムにおけるゲートウェイサーバ５の構成例を示すブロック図である。
【図３０】ゲートウェイサーバ５にて行われる無線端末１の位置登録時における処理の動作例を示すシーケンス図である。
【図３１】ゲートウェイサーバ５にて行われるサーバ７発呼時における処理の動作例を示すシーケンス図である。
【図３２】ゲートウェイサーバ５にて行われるサーバ７発呼時における処理の動作例を示すシーケンス図である。
【図３３】ゲートウェイサーバ５にて行われるセンサ・アクチュエータ２発呼時における処理の動作例を示すシーケンス図である。
【図３４】ゲートウェイサーバ５にて行われるセンサ・アクチュエータ２発呼時における処理の動作例を示すシーケンス図である。
【図３５】図１の無線通信システムにおけるデータベース６の構成例を示すブロック図である。
【図３６】ＰＤＣネットワークの基本構成を示す図である。
【図３７】ＰＤＣ−Ｐネットワークの構成を示す図である。
【図３８】無線タグネットワークの構成例を示す図である。
【符号の説明】
【０１１４】
１・・・無線端末、  ２・・・センサ・アクチュエータ、  ３・・・無線基地局、  ４・・・制御サーバ、５・・・ゲートウェイサーバ、  ６・・・データベース、  ７・・・サーバ、  ３１，４１，５１，６２・・・通信インターフェース、  ３２・・・無線通信インターフェース、  ３３，４２，５２，６１・・・制御部、  ３４・・・位置登録状態判断部、  ３５，４６，５６・・・経路処理部、  ３６，４３，５３・・・キャッシュ  ４４・・・位置登録処理部、  ４５，５５・・・通信受付処理部、  ５４・・・課金処理部、  ６３・・・データベース部
【図１】
0004634472.tif 000002
【図２】
0004634472.tif 000003
【図３】
0004634472.tif 000004
【図４】
0004634472.tif 000005
【図５】
0004634472.tif 000006
【図６】
0004634472.tif 000007
【図７】
0004634472.tif 000008
【図８】
0004634472.tif 000009
【図９】
0004634472.tif 000010
【図１０】
0004634472.tif 000011
【図１１】
0004634472.tif 000012
【図１２】
0004634472.tif 000013
【図１３】
0004634472.tif 000014
【図１４】
0004634472.tif 000015
【図１５】
0004634472.tif 000016
【図１６】
0004634472.tif 000017
【図１７】
0004634472.tif 000018
【図１８】
0004634472.tif 000019
【図１９】
0004634472.tif 000020
【図２０】
0004634472.tif 000021
【図２１】
0004634472.tif 000022
【図２２】
0004634472.tif 000023
【図２３】
0004634472.tif 000024
【図２４】
0004634472.tif 000025
【図２５】
0004634472.tif 000026
【図２６】
0004634472.tif 000027
【図２７】
0004634472.tif 000028
【図２８】
0004634472.tif 000029
【図２９】
0004634472.tif 000030
【図３０】
0004634472.tif 000031
【図３１】
0004634472.tif 000032
【図３２】
0004634472.tif 000033
【図３３】
0004634472.tif 000034
【図３４】
0004634472.tif 000035
【図３５】
0004634472.tif 000036
【図３６】
0004634472.tif 000037
【図３７】
0004634472.tif 000038
【図３８】
0004634472.tif 000039